(57)【要約】【課題】  重要な文書を確実に受信することができるファクシミリ装置を提供する。【解決手段】  送信するファイル（送信待機文書）があると（Ｓ１でＹ）、現在の時刻が図２に示すように設定された送信許可の時間帯に入っているかを送信管理部９において判断する（Ｓ２）。判断の結果、送信許可の時間帯に入っていれば（Ｓ２でＹ）、制御部７が送信制御処理を実行する（Ｓ３）。一方、送信管理部９において送信禁止の時間帯であると判断した場合は、制御部７は送信を行わないで待機状態のままでいるようにした。【選択図】  図１
2006165901.tif 000002
【特許請求の範囲】
【請求項１】
送信が許可されているか否かの判断を行い、送信が許可されていると判断した時に送信制御を行う送信制御手段を備えていることを特徴とするファクシミリ装置。
【請求項２】
請求項１記載のファクシミリ装置において、送信の許可及び禁止を設定した送信許可・禁止設定テーブルを備え、前記送信制御手段は、前記送信許可・禁止設定テーブルから送信禁止時間帯であると判断した場合に送信制御を行わないようにしたことを特徴とするファクシミリ装置。
【請求項３】
請求項１記載のファクシミリ装置において、少なくとも送信許可又は送信禁止の何れかを設定できる操作手段を備え、前記送信制御手段は、前記前記操作手段が送信禁止に設定されていると判断した場合に送信制御を行わないことを特徴とするファクシミリ装置。
【請求項４】
請求項１記載のファクシミリ装置において、過去の受信履歴を管理する受信履歴管理手段を備え、前記送信制御手段は前記受信履歴管理手段に管理された受信履歴が、その時間帯における規定値より多いと判断した場合に送信制御を行わないようにしたことを特徴とするファクシミリ装置。
【発明の詳細な説明】
【技術分野】
【０００１】
本発明は、ファクシミリ装置に関するものである。
【背景技術】
【０００２】
ファクシミリ装置において、１本の回線で通信を行う時には送信と受信を同時に行うことはできない。
【発明の開示】
【発明が解決しようとする課題】
【０００３】
上述したように、１本の回線で通信を行う時には送信と受信を同時に行うことはできないので、送信中に重要な受信があるとその受信は受け付けられないという不具合が生ずる。ここで、通常業務で重要な受信の時間帯は決まっていることが多い。例えば会社によっては平日の１０時から１２時などの場合がある。
そこで、本発明はこのような背景に鑑みてなされたものであり、重要な文書を確実に受信することができるファクシミリ装置を提供することを目的とする。
【課題を解決するための手段】
【０００４】
上記目的を達成するために、請求項１記載の発明は、送信が許可されているか否かの判断を行い、送信が許可されていると判断した時に送信制御を行う送信制御手段を備えているファクシミリ装置を特徴とする。
請求項２記載の発明は、請求項１記載のファクシミリ装置において、送信の許可及び禁止を設定した送信許可・禁止設定テーブルを備え、前記送信制御手段は、前記送信許可・禁止設定テーブルから送信禁止時間帯であると判断した場合に送信制御を行わないようにしたことを特徴とする。
請求項３記載の発明は、請求項１記載のファクシミリ装置において、少なくとも送信許可又は送信禁止の何れかを設定できる操作手段を備え、前記送信制御手段は、前記前記操作手段が送信禁止に設定されていると判断した場合に送信制御を行わないことを特徴とする。
請求項４記載の発明は、請求項１記載のファクシミリ装置において、過去の受信履歴を管理する受信履歴管理手段を備え、前記送信制御手段は前記受信履歴管理手段に管理された受信履歴が、その時間帯における規定値より多いと判断した場合に送信制御を行わないようにしたことを特徴とする。
【発明の効果】
【０００５】
本発明によれば、送信制御手段により、予め設定した時間帯においては、送信を禁止するように制御することができるので、例えば重要な受信がある時間帯などに送信できないようにすることができるため、重要な受信文書を的確に入手することができる。
【発明を実施するための最良の形態】
【０００６】
以下、本発明の実施の形態を図面に従って説明する。
図１は本発明の実施の形態に係るファクシミリ装置の機能ブロック図である。
図１において、スキャナ部１はＦＡＸの送信原稿を読み取り、２値化データに変換する。プロッタ部２は受信した原稿や各種レポート類を印刷する。操作表示部３はユーザー操作や各種ＬＥＤ点灯、メッセージ表示などを行う。画像圧縮伸張部４は画像をＩＴＵ−Ｔ Ｔ．４規格に準じて圧縮／伸張を行う。画像データ蓄積部５は送信時に一時的に圧縮データを蓄積したり、受信時に受信した圧縮データを蓄積したりする。モデム６は公衆回線でＦＡＸのアナログ信号をやり取りするためにデータの変調／復調を行う。制御部７は、ＣＰＵ、ＲＯＭ、ＲＡＭなどを備え、当該ファクシミリ装置全体を制御する。ＮＣＵ８はアナログ一般公衆網とのインターフェースである。送信管理部９は、本実施の形態のファクシミリ装置が送信可能かどうかを判断する。受信履歴管理部１０は過去の受信履歴を保持して管理する。
図２は第１の実施形態に係るファクシミリ装置における送信許可・禁止設定テーブルを示した図である。
前述したように、通常の業務において、或る特定の時間帯に重要なファクシミリの受信を受けることが多いが、このような時に受信することを最優先として、送信を待機状態にしておくために、図２に示すような各週の時間帯毎に送信許可か禁止の設定を行っておく。この図２に示す例では、平日（月曜〜金曜）の午前１０：００−１３：００までを送信禁止に設定した例が示されている。
【０００７】
図３は、第１の実施の形態に係るファクシミリ装置の送信制御を示したフローチャートである。なお、図３に示す送信制御を行う送信制御手段は制御部７と送信管理部９とにより実現されるものである。
この場合、送信するファイル（送信待機文書）があると（Ｓ１でＹ）、現在の時刻が図２に示すように設定された送信許可の時間帯に入っているかを送信管理部９において判断する（Ｓ２）。判断の結果、送信許可の時間帯に入っていれば（Ｓ２でＹ）、制御部７が送信制御処理を実行する（Ｓ３）。一方、送信管理部９において送信禁止の時間帯であると判断した場合は、制御部７は送信を行わないで待機状態のままでいる。このようにすれば、予め設定した時間帯では送信を禁止することができるので、例えば重要な受信がある時間帯を送信禁止時間帯に設定しておけば重要な受信文書を確実に入手することができる。
なお、上記図２に示した送信許可・禁止設定テーブルの代わりに、操作表示部３に送信禁止ボタンを設け、上記図３に示した送信制御動作時において、送信禁止ボタンがＯＮの状態のときは送信禁止状態と判断し、送信禁止ボタンがＯＦＦのときは送信許可状態と判断するようにしても良い。
【０００８】
図４は第２の実施形態に係るファクシミリ装置の各週における時間帯別の受信履歴のカウンタテーブルを示した図、図５は第２の実施形態に係るファクシミリ装置の受信履歴カウントアップ処理を示したフローチャートである。
図５に示すように、受信があると（Ｓ１１でＹ）、受信履歴管理部１０は受信した時刻と曜日のテーブルをカウントアップしていく（Ｓ１２）。これにより、図４に示したようなカウンタテーブルを作成するようにしている。なお、この場合、カウンタテーブルのカウンタ値は、所定期間（例えば月に１度）毎に定期的にクリアするものとする。
図６は第２の実施の形態に係るファクシミリ装置の信制御を示したフローチャートである。なお、図６に示す送信制御を行う送信制御手段は、制御部７と送信管理部９とにより実現されるものである。
この場合、送信するファイル（送信待機文書）があると（Ｓ２１でＹ）、送信管理部９は、受信履歴管理部１０に記憶されている現在の時刻に対応する時間帯の受信回数を見て、受信回数が予め設定した規定値以上かどうかの判断を行う。そして、規定値以上なら（Ｓ２２でＹ）、制御部７は送信を行わないで待機状態のままでいる。一方、送信管理部９において規定値未満であると判断した場合は（Ｓ２２でＮ）、制御部７は送信処理を実行する（Ｓ２３）。このようにすれば、実際の受信回数に応じて、送信を禁止するように制御することができるので、例えば受信回数の多い時間帯の送信動作を禁止することができる。
【図面の簡単な説明】
【０００９】
【図１】本発明の実施形態に係るファクシミリ装置の機能ブロック図。
【図２】第１の実施形態に係るファクシミリ装置における送信許可・禁止設定テーブルを示した図。
【図３】第１の実施形態に係るファクシミリ装置の送信制御を示したフローチャート。
【図４】第２の実施形態に係るファクシミリ装置の各週における時間帯別の受信履歴のカウンタテーブルを示した図。
【図５】第２の実施形態に係るファクシミリ装置の受信履歴カウントアップ処理を示したフローチャート。
【図６】第２の実施の形態に係るファクシミリ装置の送信制御を示したフローチャート。
【符号の説明】
【００１０】
４  操作表示部、７  制御部、９  送信管理部、１０  受信履歴管理部
【図１】
2006165901.tif 000003
【図２】
2006165901.tif 000004
【図３】
2006165901.tif 000005
【図４】
2006165901.tif 000006
【図５】
2006165901.tif 000007
【図６】
2006165901.tif 000008